(57)【特許請求の範囲】
【請求項１】
薄板状ケーブルが挿入及び脱出可能なケーブル挿入溝を有するインシュレータと、
該インシュレータに支持した、上記インシュレータに挿入した上記ケーブルと接触するコンタクトと、
閉位置と開位置との間を上記インシュレータに対して回転可能なアクチュエータと、
上記インシュレータに固定した固定金具と、
を備え、
上記固定金具が、
該固定金具の一部から上記挿入方向に延びかつ上記ケーブルの厚み方向の一方側から上記ケーブルと対向するケーブル押さえ片と、
を有し、
上記ケーブル押さえ片が、その板厚方向が上記ケーブルの厚み方向と平行な平板状であり、
上記インシュレータが、少なくとも上記アクチュエータが上記閉位置に位置するときに上記ケーブル押さえ片の先端部を固定する固定部又は上記ケーブルと反対側から該先端部と対向する対向部を備えることを特徴とするケーブル用コネクタ。
【請求項２】
請求項１記載のケーブル用コネクタにおいて、
上記インシュレータが、上記ケーブル押さえ片の上記先端部が挿入するケーブル押さえ片挿入孔を備え、
該ケーブル押さえ片挿入孔の内面の一部が上記対向部を構成するケーブル用コネクタ。
【請求項３】
請求項１または２記載のケーブル用コネクタにおいて、
上記アクチュエータが、自身の回転中心である回転軸を備え、
上記固定金具が、上記ケーブルの厚み方向の上記一方側から上記回転軸と対向する回転軸押さえ片を備えるケーブル用コネクタ。
【請求項４】
請求項１から３のいずれか１項記載のケーブル用コネクタにおいて、
上記ケーブルが被ロック部を有し、
上記アクチュエータが、上記閉位置に位置するときに上記ケーブル挿入溝に挿入した上記ケーブルの上記被ロック部に対して上記脱出方向側から対向する抜け止め用突起を備え、
上記固定金具が、上記アクチュエータが上記閉位置に位置するときに上記抜け止め用突起が遊嵌する抜け止め用突起逃げ用凹部を有するケーブル用コネクタ。
【発明の詳細な説明】
【技術分野】
【０００１】
本発明はケーブル用コネクタに関する。
【背景技術】
【０００２】
特許文献１のＦＰＣ（フレキシブルプリント回路基板）用コネクタは、両側縁部のそれぞれに被ロック部を有するＦＰＣを挿脱可能なケーブル挿入溝を有する樹脂製のインシュレータと、回路基板（リジッド基板）と接続した状態でインシュレータに支持した複数のコンタクトと、カム部を有しかつ閉位置と開位置との間をインシュレータに対して回転可能なアクチュエータと、インシュレータ及び回路基板に固定した固定金具と、を備えている。さらにインシュレータの左右両側部には、ＦＰＣをケーブル挿入溝に挿入したときにＦＰＣの左右両側縁部の真上に位置するＦＰＣ押さえが一体的に設けてある。
【０００３】
アクチュエータを開位置に位置させた状態でインシュレータにＦＰＣを挿入し、その後にアクチュエータを閉位置まで回転させると、アクチュエータによってＦＰＣとコンタクトの間の接触圧力が高まるのでＦＰＣとコンタクトが確実に導通する。
さらにアクチュエータが閉位置に位置しかつインシュレータにＦＰＣを挿入してある状態でＦＰＣに対してインシュレータからのめくり上がり方向（回路基板の厚み方向に回路基板から離れる方向）の外力が掛かると、ＦＰＣの左右両側縁部がインシュレータの一対のＦＰＣ押さえに係合する。そのため、めくり上がり方向の力がそれ程大きくない場合は、ＦＰＣのめくり上がりによるインシュレータからの離脱を抑制できる。
【先行技術文献】
【特許文献】
【０００４】
【特許文献１】特開２００４−１９２８２５号公報
【発明の概要】
【発明が解決しようとする課題】
【０００５】
特許文献１の一対のＦＰＣ押さえは樹脂製でありしかも薄肉である。しかもＦＰＣ押さえは、その一端のみがインシュレータ（本体）に固定されかつ他端が自由端をなす片持ち状のアーム状部である。そのためＦＰＣ押さえの機械的強度は大きくない。
さらに特許文献１のコネクタは、樹脂性のＦＰＣ押さえを補強するための補強金具を備えている。この補強金具は、その先端部がアクチュエータと係合するアーム状の係合部分を備えている。しかしこのコネクタは、アクチュエータが閉位置に位置するときに係合部分の先端部（カール部）を上方から押さえる構成を備えていない。そのためＦＰＣのめくり上がり力によって補強金具（係合部分）がめくれ上がり方向に動いてしまい、補強金具が塑性変形したり破損する可能性がある。
従って、ＦＰＣに及ぶめくり上がり方向の外力が大きい場合は、ＦＰＣのめくり上がり力によってＦＰＣ押さえ（コネクタ）が破損するおそれがある。
【０００６】
本発明の目的は、アクチュエータが閉位置に位置する状態でインシュレータに挿入したケーブルに対してめくり上がり方向の外力が掛かったときに、コネクタが変形したり破損するのを抑えつつケーブルのインシュレータに対するめくり上がり方向の離脱を抑止可能なケーブル用コネクタを提供することにある。
【課題を解決するための手段】
【０００７】
本発明のケーブル用コネクタは、薄板状ケーブルが挿入及び脱出可能なケーブル挿入溝を有するインシュレータと、該インシュレータに支持した、上記インシュレータに挿入した上記ケーブルと接触するコンタクトと、閉位置と開位置との間を上記インシュレータに対して回転可能なアクチュエータと、上記インシュレータに固定した固定金具と、を備え、上記固定金具が、該固定金具の一部から上記挿入方向に延びかつ上記ケーブルの厚み方向の一方側から上記ケーブルと対向するケーブル押さえ片と、を有し、上記ケーブル押さえ片が、その板厚方向が上記ケーブルの厚み方向と平行な平板状であり、上記インシュレータが、少なくとも上記アクチュエータが上記閉位置に位置するときに上記ケーブル押さえ片の先端部を固定する固定部又は上記ケーブルと反対側から該先端部と対向する対向部を備えることを特徴としている。
【０００８】
上記インシュレータが、上記ケーブル押さえ片の上記先端部が挿入するケーブル押さえ片挿入孔を備え、該ケーブル押さえ片挿入孔の内面の一部が上記対向部を構成してもよい。
【０００９】
上記アクチュエータが、自身の回転中心である回転軸を備え、上記固定金具が、上記ケーブルの厚み方向の上記一方側から上記回転軸と対向する回転軸押さえ片を備えてもよい。
【００１０】
上記ケーブルが被ロック部を有し、上記アクチュエータが、上記閉位置に位置するときに上記ケーブル挿入溝に挿入した上記ケーブルの上記被ロック部に対して上記脱出方向側から対向する抜け止め用突起を備え、上記固定金具が、上記アクチュエータが上記閉位置に位置するときに上記抜け止め用突起が遊嵌する抜け止め用突起逃げ用凹部を有してもよい。
【発明の効果】
【００１１】
アクチュエータが閉位置に位置しかつインシュレータにケーブルを挿入してある状態でケーブルに対してインシュレータからのめくり上がり方向の外力が掛かると、ケーブルが固定金具のケーブル押さえ片に係合する。
ケーブル押さえ片は金属製であり変形し難く、しかもケーブルの厚み方向に見たときのケーブルとのオーバーラップ面積が大きい（ケーブルがめくり上がったときのケーブルとの接触態様が面接触になり易い）平板状である。
そのためケーブルに対して及んだめくり上がり方向の外力が大きくない場合は、ケーブル押さえ片によってケーブルのめくり上がりによるインシュレータからの離脱を抑制できる。
【００１２】
インシュレータに対向部を設けた場合は、ケーブルに及ぶめくり上がり方向の外力が大きい場合に、ケーブルによって押圧されたケーブル押さえ片が変形してケーブル押さえ片の先端部が対向部と係合する。即ち、ケーブル押さえ片の一方の端部が固定金具の一部により支持されかつ他方の端部（先端部）がインシュレータによって支持される（ケーブル押さえ片が両持ち状態となる）。またインシュレータに固定部を設けた場合は、（ケーブルがめくり上がるか否かに拘わらず）ケーブル押さえ片の一方の端部が固定金具の一部により支持されかつ他方の端部（先端部）がインシュレータによって支持される（ケーブル押さえ片が両持ち状態となる）。
このようにケーブル押さえ片が両持ち状態となると、ケーブル押さえ片は（片持ち状態のときより）さらに変形や破損し難くなる。そのためケーブルに及ぶめくり上がり方向の外力が大きい場合であっても、ケーブルはインシュレータからめくり上がり方向に抜けにくく、しかもケーブル押さえ片（コネクタ）が破損するおそれは小さい。
またケーブルに及ぶめくり上がり方向の外力が大きい場合は、閉位置に位置していたアクチュエータがケーブルによって開位置側に回転させられることがある。しかしアクチュエータは回転することによりケーブルの移動力を吸収するので、この際にアクチュエータが変形したり破損するおそれも小さい。
【図面の簡単な説明】
【００１３】
【図１】本発明の一実施形態であるアクチュエータが開位置に位置するコネクタとコネクタに後端部を挿入したＦＰＣの前斜め上方から見た斜視図である。
【図２】コネクタの前斜め上方から見た分解斜視図である。
【図３】コネクタの後斜め下方から見た分解斜視図である。
【図４】アクチュエータが開位置に位置するコネクタとＦＰＣの前斜め上方から見た分離状態の斜視図である。
【図５】アクチュエータが開位置に位置するコネクタとＦＰＣの後斜め下方から見た分離状態の斜視図である。
【図６】アクチュエータが閉位置に位置するコネクタとコネクタに後端部を挿入したＦＰＣの前斜め上方から見た斜視図である。
【図７】アクチュエータが開位置に位置するコネクタとコネクタに後端部を挿入したＦＰＣの正面図である。
【図８】アクチュエータが開位置に位置するコネクタとコネクタに後端部を挿入したＦＰＣの平面図である。
【図９】図７のIX−IX矢線に沿う断面図である。
【図１０】図７のＸ−Ｘ矢線に沿う断面図である。
【図１１】図７のXI−XI矢線に沿う断面図である。
【図１２】図８のXII−XII矢線に沿う断面図である。
【図１３】図８のXIII−XIII矢線に沿う断面図である。
【図１４】アクチュエータを閉位置まで回転させたときの図９と同様の断面図である。
【図１５】アクチュエータを閉位置まで回転させたときの図１０と同様の断面図である。
【図１６】アクチュエータを閉位置まで回転させたときの図１１と同様の断面図である。
【図１７】アクチュエータを閉位置まで回転させたときの図１２と同様の断面図である。
【図１８】アクチュエータを閉位置まで回転させたときの図１３と同様の断面図である。
【図１９】ＦＰＣの後端部がある程度の大きさの力によって上方にめくり上がったときの図１５と同様の断面図である。
【図２０】ＦＰＣの後端部が極めて大きな力によって上方にめくり上がったときの図１５と同様の断面図である。
【発明を実施するための形態】
【００１４】
以下、添付図面を参照しながら本発明の一実施形態について説明する。なお、以下の説明中の前後、左右、及び上下の方向は、図中の矢印の方向を基準としている。
本実施形態のコネクタ１０は、大きな構成要素としてインシュレータ２０、シグナルコンタクト３０、アクチュエータ４０、及び固定金具５５を具備している。
インシュレータ２０は絶縁性かつ耐熱性の合成樹脂材料を射出成形したものである。インシュレータ２０の上面の前部にはＦＰＣ７０（薄板状ケーブル。接触対象物）とほぼ同幅のケーブル挿入溝２１が凹設してある。ケーブル挿入溝２１の前面及び上面は開放している。インシュレータ２０の左右両側部には一対の側壁２２が形成してあり、左右の側壁２２の内側面の前端部には閉位置保持用凹部２３が凹設してある。さらにインシュレータ２０の左右両側部近傍には、左右の側壁２２のすぐ内側に位置する左右一対のアーム収納凹部２４が形成してある。インシュレータ２０は左右のアーム収納凹部２４の内側に位置しかつ前後方向に延びる金具固定溝２５を備えている。金具固定溝２５の前面は開放しており、金具固定溝２５の前部（アーム収納凹部２４に形成した部分）の上下両面も開放している。さらに金具固定溝２５はアーム収納凹部２４よりも後方まで延びている。金具固定溝２５の後部（アーム収納凹部２４より後方に位置する部分）の上下両面及び左右両面はインシュレータ２０によって塞がれており、その後端はインシュレータ２０の後端面にまで及んでいる（図３、図９等を参照）。ケーブル挿入溝２１の上面の前端部には左右一対の回転規制凹部２６が凹設してある。インシュレータ２０には前後方向に延びる計６本のコンタクト挿入溝２７が形成してある。各コンタクト挿入溝２７の後部はインシュレータ２０の後部を前後方向に貫通しており、各コンタクト挿入溝２７の前部はケーブル挿入溝２１の底面に凹設してある。さらにインシュレータ２０の後部の前端面２０ａには左右一対のケーブル押さえ片挿入孔２８が穿設してある。左右のケーブル押さえ片挿入孔２８は後方に向かって直線的に延びており、その後端はインシュレータ２０の後端面において開口している（図３、図１０、図１５参照）。ケーブル押さえ片挿入孔２８の断面形状は略矩形である。またインシュレータ２０の後部には左右一対の傾斜支持面２９が形成してある（図２、図６、図９参照）。
【００１５】
計６本のシグナルコンタクト３０（コンタクト）は、ばね弾性を備えた銅合金（例えばリン青銅、ベリリウム銅、チタン銅）やコルソン系銅合金の薄板を順送金型（スタンピング）を用いて図示形状に成形加工したものであり、表面にニッケルメッキで下地を形成した後に、金メッキを施している。図２、図３、図１１、図１６等に示すようにシグナルコンタクト３０は側面視略コ字形であり、先端に接触突部３２を有する接触アーム３１と、接触アーム３１の直上に位置し下面の先端近傍に支持凹部３４を有する押えアーム３３と、後端に突設したテール片３５と、を備えている。
各シグナルコンタクト３０は、インシュレータ２０の各コンタクト挿入溝２７に対して後方から圧入してある。図１１等に示すように各シグナルコンタクト３０をコンタクト挿入溝２７に圧入すると、接触アーム３１がコンタクト挿入溝２７の前部に位置（接触突部３２はケーブル挿入溝２１内に位置）し、押えアーム３３の上面に突設した係止突起３６が対応するコンタクト挿入溝２７の上面に食い込むことにより、シグナルコンタクト３０がコンタクト挿入溝２７に対して固定状態となる。テール片３５はインシュレータ２０の後方に突出し、その下面はインシュレータ２０の下面より下方に位置する。
【００１６】
左右方向に延びる板状部材である回転式のアクチュエータ４０は、耐熱性の合成樹脂材料を金属製の成形型を利用して射出成形したものである。左右両側部には側部アーム４１がそれぞれ設けてある。左右の側部アーム４１の外側面にはロック用突起４２がそれぞれ突設してある。アクチュエータ４０の幅方向（左右方向）の中央部の下端部近傍には、アクチュエータ４０を板厚方向に貫通する計６個のアーム挿通用貫通孔４３が左右方向に並べて形成してあり、各アーム挿通用貫通孔４３の直下には各アーム挿通用貫通孔４３の下端を塞ぐ中央回転軸４４が形成してある（図２、図１１、図１６参照）。また隣り合うアーム挿通用貫通孔４３の間に位置する部分の下端部には計６個のカム部４５が設けてある。アクチュエータ４０の下端部には左右一対の金具逃がし凹部４６が設けてある。アクチュエータ４０の後面（閉位置に位置するときは上面）には開位置保持面４９が形成してある。アクチュエータ４０の左右両端近傍には、アクチュエータ４０を板厚方向に貫通する側部貫通孔５０が形成してあり、各側部貫通孔５０の直下には各側部貫通孔５０の下端を塞ぎかつ中央回転軸４４と同軸をなす側部回転軸５１（回転軸）が形成してある（図２、図９、図１４参照）。さらにアクチュエータ４０の前面（閉位置に位置するときは下面）には左右一対の抜け止め用突起５３が突設してある。
アクチュエータ４０は、図２、図３に示すようにインシュレータ２０に対して略直交させた状態でその基端部（中央回転軸４４側の端部）を前方からケーブル挿入溝２１内に挿入し、各アーム挿通用貫通孔４３に対応するシグナルコンタクト３０の押えアーム３３を挿入しつつ中央回転軸４４に支持凹部３４を係合し（図１１、図１６参照）、さらに左右の側部アーム４１の基端部を左右のアーム収納凹部２４内に位置させる（図１２参照）ことにより、シグナルコンタクト３０（及びインシュレータ２０）に取り付けてある。
【００１７】
左右一対の固定金具５５は金属板のプレス成形品であり、断面略円弧状の基部５６と、基部５６から後方に向かって延びる圧入部５７と、基部５６の内側縁部から後方（ＦＰＣ７０のケーブル挿入溝２１に対する挿入方向）に向かって延びるケーブル押さえ片６１と、基部５６の下縁部から側方に延びるテール片６３と、圧入部５７の上面に突設した側面視略Ｌ字形の回転軸押さえ片６５と、を一体的に備えている。圧入部５７の後部の上面には抜止突部５８が突設してある。圧入部５７の前部の上面には水平面からなる支持面５９が形成してある。基部５６の内側縁部の前部とケーブル押さえ片６１の前端面の間には抜け止め用突起逃げ用凹部６０が形成してある。ケーブル押さえ片６１はその板厚方向が上下方向（ＦＰＣ７０の厚み方向と平行又は略平行。特許請求の範囲の「平行」は略平行も含む）である平板状部であり、その下面は自身の板厚面（左右両面）より面積が広くかつ上下方向に対して直交（又は略直交）する平面により構成してある。ケーブル押さえ片６１（及び基部５６）の機械的強度は押えアーム３３（シグナルコンタクト３０）より大きく、そのためケーブル押さえ片６１は押えアーム３３よりも上下方向に弾性変形し難い。回転軸押さえ片６５の上部は略水平な押さえ部６６により構成してある。
固定金具５５は、テール片６３を側壁２２の直前に位置させかつケーブル押さえ片６１をケーブル挿入溝２１の左右両側縁部の直上に位置させながら圧入部５７を左右の金具固定溝２５に対して前方から後方（ＦＰＣ７０のインシュレータ２０に対する挿入方向）へ圧入することによりインシュレータ２０に固定してある。圧入部５７を金具固定溝２５に圧入すると、圧入部５７の上面に突設した抜止突部５８が金具固定溝２５の後部の上面に食い込むので、固定金具５５がインシュレータ２０に対して固定される（図９参照）。さらに固定金具５５のテール片６３の下面がシグナルコンタクト３０のテール片３５の下面と同じ高さに位置する。また左右の固定金具５５のケーブル押さえ片６１の先端部（後端部）が、アクチュエータ４０の左右の金具逃がし凹部４６を後方に通り抜けながらインシュレータ２０の左右のケーブル押さえ片挿入孔２８に対してそれぞれ前方から挿入する。図１０に示すようにケーブル押さえ片６１の板厚（上下寸法）はケーブル押さえ片挿入孔２８の上下寸法より僅かに小さく、さらにケーブル押さえ片６１の左右幅はケーブル押さえ片挿入孔２８の左右幅より僅かに狭い。そのためケーブル押さえ片挿入孔２８の上面を構成する天井面２８ａ（対向部）とケーブル押さえ片６１の先端部との間には上下方向の隙間が形成される（図１０、図１５参照）。
【００１８】
そして固定金具５５をインシュレータ２０に固定すると、アーム収納凹部２４の底面より上方に位置する支持面５９がアクチュエータ４０の左右の側部回転軸５１の底部を下方から回転可能に支持する。さらに回転軸押さえ片６５の押さえ部６６が、側部回転軸５１との間にクリアランスを形成しながら側部回転軸５１の上方（ＦＰＣ７０の厚み方向の一方側）から対向する（図９、図１４参照）。このように支持面５９によって左右の側部回転軸５１を支持すると、各シグナルコンタクト３０の支持凹部３４と対応する中央回転軸４４の係合関係及び支持面５９による側部回転軸５１の支持状態が（押さえアーム３３の下向きの弾性力によって）維持されるので、アクチュエータ４０はインシュレータ２０（ＦＰＣ７０の挿脱方向）に対して中央回転軸４４及び側部回転軸５１回りに回転可能になる。具体的には、直交した位置よりやや後方に傾斜しかつ開位置保持面４９がインシュレータ２０の傾斜支持面２９に当接する開位置（アンロック位置。図１、図５、図７−図１３に示す位置）と、開位置から前方に倒れてアクチュエータ４０全体が略水平となる閉位置（ロック位置。図６、図１４−図１８に示す位置）との間を回転可能である。アクチュエータ４０が閉位置まで回転すると、左右の抜け止め用突起５３がインシュレータ２０の左右の回転規制凹部２６に対して上方から嵌合し、抜け止め用突起５３の端面が回転規制凹部２６の底面に当接する。そのためアクチュエータ４０のインシュレータ２０に対する下方回転は回転規制凹部２６と抜け止め用突起５３によって閉位置で規制される。さらにアクチュエータ４０の左右のロック用突起４２がインシュレータ２０の左右の閉位置保持用凹部２３と係合するので、意図的にアクチュエータ４０を開位置側へ回転させない限りアクチュエータ４０は閉位置に保持される。
【００１９】
コネクタ１０は前後方向と略平行な回路基板ＣＢ（図９−１１、図１４−１６の仮想線参照）の上面（回路形成面）に対して実装可能である。具体的には、各シグナルコンタクト３０のテール片３５を回路基板ＣＢ上の回路パターン（図示略）に塗布したはんだペーストに載せ、左右の固定金具５５のテール片６３を回路形成面上の回路パターンとは別の部位に塗布したはんだペーストに載せる。そしてリフロー炉において各はんだペーストを加熱溶融し、各テール片３５及び各テール片６３を上記回路形成面にはんだ付けすれば、コネクタ１０の回路基板ＣＢへの実装が完了する。
このときテール片６３に施したはんだの余剰部がテール片６３の表面を伝って基部５６側へ這い上がろうとすることがある。しかし溶融した当該余剰部は表面張力の作用によりテール片６３のはんだ逃がし孔６４内に集まるので、はんだの一部が基部５６側へ這い上がるおそれは低い。そのためはんだがアクチュエータ４０の開閉動作に悪影響を与えることはない。
【００２０】
以上構成のコネクタ１０には図示したＦＰＣ７０を挿脱可能である。
図示するようにＦＰＣ７０は複数の薄膜材を互いに接着して構成した積層構造であり、ＦＰＣ７０の長手方向の両端部を構成しかつその他の部分に比べて硬い端部補強部材７１と、端部補強部材７１の両側縁部にそれぞれ凹設した抜止凹部７２と、ＦＰＣ７０の延長方向に沿って直線的に延びかつ端部補強部材７１の下面まで延びる計６本の回路パターン７３と、回路パターン７３の両端部を除くＦＰＣ７０の両面全体を覆う絶縁カバー層７４と、を備えている。端部補強部材７１の抜止凹部７２の直後に位置する部位は被ロック部７２ａを構成している。
ＦＰＣ７０をコネクタ１０に対して接続するには、まずアクチュエータ４０を開位置まで回転させ、その後にＦＰＣ７０の後端部をケーブル押さえ片６１の下側に位置させながらケーブル挿入溝２１に対して正規位置（図１、図６、図８、図９−１１、図１４−１６）まで挿入する。するとＦＰＣ７０の左右の抜止凹部７２が、回転規制凹部２６及び抜け止め用突起逃げ用凹部６０の直上に位置する。さらにＦＰＣ７０の抜止凹部７２より後方に位置する部位の左右両側縁部に対して、左右のケーブル押さえ片６１が上方（ＦＰＣ７０の厚み方向の一方側）から隙間を形成しながら対向する。
そしてこの状態でアクチュエータ４０を閉位置まで前方に回転させると、各カム部４５がＦＰＣ７０の上面に面接触してＦＰＣ７０を下方に押圧するので（図１８参照）、ＦＰＣ７０の回路パターン７３が各シグナルコンタクト３０の接触アーム３１を下方に弾性変形させながら接触突部３２に対して確実に接触する（図１６参照）。
【００２１】
アクチュエータ４０が閉位置に位置する状態でインシュレータ２０に挿入したＦＰＣ７０が引き抜き方向に移動すると、ＦＰＣ７０の抜止凹部７２の直後に位置する被ロック部７２ａがアクチュエータ４０の抜け止め用突起５３に対して当接するので、抜け止め用突起５３によってＦＰＣ７０のインシュレータ２０からの抜けを確実に阻止できる。
【００２２】
またアクチュエータ４０が閉位置に位置する状態でＦＰＣ７０の後端部（ケーブル挿入溝２１内に位置する部位及びその直前の部位）に対して上向き（めくり上がり方向）の外力が掛かると、ＦＰＣ７０の後端部がインシュレータ２０に対して上方へ移動する。そのためＦＰＣ７０の後端部によってアクチュエータ４０が閉位置から上方へ僅かに（閉位置保持用凹部２３とロック用突起４２の係合関係が維持される範囲内で）強制的に回転させられる（図１９参照）。
しかしアクチュエータ４０が僅かに回転したときにＦＰＣ７０の後端部の左右両側部が左右のケーブル押さえ片６１の下面に対して接触する。ケーブル押さえ片６１は（押えアーム３３よりも）弾性変形（及び塑性変形）し難く、しかも上下方向に見たときのＦＰＣ７０とのオーバーラップ面積が大きい（ＦＰＣ７０がめくり上がったときのＦＰＣ７０との接触態様が面接触になり易い）。従って、ＦＰＣ７０の後端部の上方への移動力がそれ程大きくない場合は、ＦＰＣ７０の後端部の上方への移動（めくり上がり）をこの位置で確実に規制できる（図１９参照）。従って、ＦＰＣ７０のめくり上がりによるインシュレータ２０（コネクタ１０）からの離脱を防止できる。
【００２３】
ＦＰＣ７０の後端部の上方への移動力がある程度大きい場合は、ＦＰＣ７０の後端部の上方への移動力によって左右のケーブル押さえ片６１が上側に弾性変形する。するとケーブル押さえ片６１の先端部に対して上方（ＦＰＣ７０と反対側）から対向する天井面２８ａ（対向部）に対してケーブル押さえ片６１の先端部が下方から当接する（図２０参照）。即ち、ケーブル押さえ片６１の前端部が基部５６により支持されかつケーブル押さえ片６１の後端部がケーブル押さえ片挿入孔２８の天井面２８ａと係合する（ケーブル押さえ片６１の前後両端部が両持ちされる）。しかもケーブル押さえ片６１は金属製である（押え片３３より機械的強度が大きい）。従って、ケーブル押さえ片６１は天井面２８ａと係合した後にそれ以上上側に弾性変形することは殆どない。そのため、ケーブル押さえ片６１によってＦＰＣ７０のめくり上がりによるインシュレータ２０（コネクタ１０）からの離脱を抑制できる。
【００２４】
アクチュエータ４０が閉位置に位置するコネクタ１０に対して挿入したＦＰＣ７０の後端部に及ぶめくり上がり方向の外力が極めて大きい場合（例えばコネクタ１０が搭載される電気機器や電子機器の組立作業中に、組立作業者の手や組立用の治工具が不意にＦＰＣ７０に引っかかり、ＦＰＣ７０にめくれ上がりの瞬間的な大きな力が加わった場合など）は、ＦＰＣ７０の後端部が、ケーブル押さえ片６１の後端部の上面をケーブル押さえ片挿入孔２８の天井面２８ａに当接させ、かつ自身を変形させつつ左右のケーブル押さえ片６１の間を通り抜けながらインシュレータ２０から上方へ離脱する。
しかし金属製かつ前後両端部を基部５６とケーブル押さえ片挿入孔２８の天井面２８ａによって支持されたケーブル押さえ片６１は弾性変形（及び塑性変形）し難いので、この際にケーブル押さえ片６１が変形したり破損するおそれは小さい。
【００２５】
またＦＰＣ７０の後端部がインシュレータ２０から上方へ離脱すると、ＦＰＣ７０の後端部によって、閉位置に位置していたアクチュエータ４０が閉位置保持用凹部２３とロック用突起４２の係合関係を解除しながら開位置側に強制的に回転させられることがある。しかしアクチュエータ４０は回転することによりＦＰＣ７０の上方への移動力を吸収するので、この際にアクチュエータ４０（コネクタ１０）が変形したり破損するおそれも小さい。
さらにＦＰＣ７０の移動力によってアクチュエータ４０が開位置側へ強制的に回転させられる場合は、アクチュエータ４０の中央回転軸４４によってシグナルコンタクト３０の押えアーム３３が上向きに弾性変形する。そのため従来のコネクタでは、アクチュエータ４０全体がインシュレータ２０に対して過剰に上方へ浮き上がり、押さえアームが塑性変形したりアクチュエータがインシュレータ２０から脱落したりすることがあった。しかし、本実施形態の場合はアクチュエータ４０の左右の側部回転軸５１が左右の固定金具５５の押さえ部６６に対して衝突するので、押えアーム３３のそれ以上の変形や破損が防止される。さらに側部回転軸５１は金属からなる略Ｌ字の回転軸押さえ片６５によって前方及び上方から抱え込まれているため、アクチュエータ４０がインシュレータ２０から脱落するおそれは小さい。即ち、コネクタ１０は、ＦＰＣ７０に対してコネクタ１０からめくり上がり方向に抜けてしまうような過剰なめくり上がりの外力が加わった場合においても、コネクタ１０の構成部品（例えば固定金具５５）が破損したりアクチュエータ４０が脱落したりすることがない（コネクタとしての機能を維持できる）。
【００２６】
以上、本発明を上記実施形態に基づいて説明したが、本発明は上記実施形態に限定されるものではなく、様々な変形を施しながら実施可能である。
例えば、ケーブル押さえ片挿入孔２８の上下寸法とケーブル押さえ片６１の上下寸法（板厚）を略同一としたり、ケーブル押さえ片６１の後端部にケーブル押さえ片挿入孔２８の内壁に食い込む係止突起を形成したりすることにより、ケーブル押さえ片６１の後端部をケーブル押さえ片挿入孔２８に対して固定状態で圧入してもよい（この場合のケーブル押さえ片挿入孔２８は「固定部」として機能する）。
インシュレータ２０にケーブル押さえ片挿入孔２８を設ける代わりに又はケーブル押さえ片挿入孔２８と併設する態様で、インシュレータ２０の後部の前端面２０ａに前方へ突出する突片を形成し（ケーブル押さえ片挿入孔２８と併設する場合は、ケーブル押さえ片挿入孔２８より上方に突片を位置させる）、この突片（対向部）を上方からケーブル押さえ片６１と対向させたり、この突片（固定部）を上方からケーブル押さえ片６１に対して固定状態で係合させてもよい。
ケーブル押さえ片挿入孔２８の後端部を（例えばインシュレータ２０の後端部によって）閉塞してもよい。
またケーブル押さえ片挿入孔２８の天井面２８ａの一部に、インシュレータ２０の上端面にまで到達しかつその左右幅がケーブル押さえ片６１より狭いスリット（図示略）を入れてもよい。
ケーブル押さえ片６１の後端部とインシュレータ２０をケーブル押さえ片挿入孔２８とを別の手段（固定部）を利用して互いに固定してもよい。例えば、インシュレータ２０の上面に上端が開放した凹溝（固定部）を形成し、ケーブル押さえ片６１の後端部をこの凹溝に対して上方から固定状態で圧入してもよい。またケーブル押さえ片６１の後端部とインシュレータ２０を接着剤（固定部）や溶着（熱溶着、超音波溶着など）により固定してもよい。
インシュレータ２０の左右のアーム収納凹部２４の底面を固定金具５５の支持面５９と同じ上下位置又は支持面５９より上方に位置させることにより、側部回転軸５１の底部をアーム収納凹部２４の底面や支持面５９及びアーム収納凹部２４の底面によって回転可能に支持してもよい。
薄板状ケーブルはＦＰＣ以外のケーブル、例えばフレキシブルフラットケーブル（ＦＦＣ）であってもよい。
【符号の説明】
【００２７】
１０    コネクタ
２０    インシュレータ
２０ａ  インシュレータの後部の前端面
２１    ケーブル挿入溝
２２    側壁
２３    閉位置保持用凹部
２４    アーム収納凹部
２５    金具固定溝
２６    回転規制凹部
２７    コンタクト挿入溝
２８    ケーブル押さえ片挿入孔（固定部）
２８ａ  天井面（対向部）
２９    傾斜支持面
３０    シグナルコンタクト（コンタクト）
３１    接触アーム
３２    接触突部
３３    押えアーム
３４    支持凹部
３５    テール片
３６    係止突起
４０    アクチュエータ
４１    側部アーム
４２    ロック用突起
４３    アーム挿通用貫通孔
４４    中央回転軸
４５    カム部
４６    金具逃がし凹部
４９    開位置保持面
５０    側部貫通孔
５１    側部回転軸（回転軸）
５３    抜け止め用突起
５５    固定金具
５６    基部
５７    圧入部
５８    抜止突部
５９    支持面
６０    抜け止め用突起逃げ用凹部
６１    ケーブル押さえ片
６３    テール片
６４    はんだ逃がし孔
６５    回転軸押さえ片
６６    押さえ部
７０    ＦＰＣ（薄板状ケーブル）
７１    端部補強部材
７２    抜止凹部
７２ａ  被ロック部
７３    回路パターン
７４    絶縁カバー層
ＣＢ    回路基板
【要約】
【課題】アクチュエータが閉位置に位置する状態でインシュレータに挿入したケーブルに対してめくり上がり方向の外力が掛かったときに、コネクタが変形したり破損するのを抑えつつケーブルのインシュレータに対するめくり上がり方向の離脱を抑止可能なケーブル用コネクタを提供する。
【解決手段】薄板状ケーブル７０が挿脱可能なインシュレータ２０と、インシュレータに支持したコンタクト３０と、回転可能なアクチュエータ４０と、インシュレータに固定した固定金具５５と、を備え、固定金具が、固定金具の一部から延びかつケーブルと対向するケーブル押さえ片６１と、を有し、ケーブル押さえ片が平板状であり、インシュレータが、アクチュエータが少なくとも閉位置に位置するときにケーブルと反対側からケーブル押さえ片の先端部と対向する対向部２８ａを備える。
【選択図】図１９【図１】
0005901733.tif 000002
【図２】
0005901733.tif 000003
【図３】
0005901733.tif 000004
【図４】
0005901733.tif 000005
【図５】
0005901733.tif 000006
【図６】
0005901733.tif 000007
【図７】
0005901733.tif 000008
【図８】
0005901733.tif 000009
【図９】
0005901733.tif 000010
【図１０】
0005901733.tif 000011
【図１１】
0005901733.tif 000012
【図１２】
0005901733.tif 000013
【図１３】
0005901733.tif 000014
【図１４】
0005901733.tif 000015
【図１５】
0005901733.tif 000016
【図１６】
0005901733.tif 000017
【図１７】
0005901733.tif 000018
【図１８】
0005901733.tif 000019
【図１９】
0005901733.tif 000020
【図２０】
0005901733.tif 000021